(57)【要約】【課題】簡易な構造でありながら、土の上に簡単に固定することができ、使い勝手の良い昆虫誘引捕獲器を提供する。【解決手段】昆虫誘引捕獲器１は、開口部を有するカップ状の容器本体２と、容器本体２に収容され、所定の昆虫に対する誘引成分及び殺虫成分を含有する薬剤１１と、容器本体２に着脱自在に嵌め込まれる蓋材３とを備える。蓋材３は、容器本体２への取り付け時に開口部を覆い、薬剤１１に含有される成分を拡散させる拡散部４と、拡散部４の外方に延び、土壌に差し込み可能な脚部６と、容器本体２の開口部の内面に密接するように容器本体２に嵌め込まれる環状の枠体１３とを含む。【選択図】図３
2011142891.tif 000002
【特許請求の範囲】
【請求項１】
所定の昆虫を誘引して捕獲するための昆虫誘引捕獲器であって、
開口部を有するカップ状の容器本体と、
前記容器本体に収容され、所定の昆虫に対する誘引成分及び殺虫成分を含有する薬剤と、
前記容器本体に着脱自在に嵌め込まれる蓋材とを備え、
前記蓋材は、
前記容器本体への取り付け時に前記開口部を覆い、前記薬剤に含有される成分を拡散させる拡散部と、
前記拡散部の外方に延び、土壌に差し込み可能な脚部と、
前記容器本体の前記開口部の内面に密接するように前記容器本体に嵌め込まれる環状の枠体とを含む、昆虫誘引捕獲器。
【請求項２】
前記拡散部には、前記初手の昆虫が通り抜け可能な複数の貫通孔が設けられており、
前記拡散部のうち、前記脚部に近い側の一部には、前記貫通孔が設けられていないことを特徴とする、請求項１に記載の昆虫誘引捕獲器。
【発明の詳細な説明】
【技術分野】
【０００１】
本発明は、例えばコバエのような昆虫を誘引して捕獲するための昆虫誘引捕獲器に関する。
【背景技術】
【０００２】
昆虫を誘引して捕獲する捕獲器には、昆虫を誘引する成分や殺虫成分を含有する薬剤を容器に収容したものが用いられている。例えば、特許文献１及び２に記載の捕獲器は、昆虫が侵入するための貫通孔が設けられた中空の容器に薬剤が収容されたものである。薬剤中の昆虫を誘引する成分が貫通孔を通り抜けて容器内部から外部に気散され、これにより誘引された昆虫が貫通孔から容器内部に入り込んで捕獲（殺虫）される。
【先行技術文献】
【特許文献】
【０００３】
【特許文献１】特許第３７４０６６０号公報
【特許文献２】実開昭５９−３４５７９号公報
【発明の概要】
【発明が解決しようとする課題】
【０００４】
特許文献１及び２に記載の捕獲器は、貫通孔が形成された面を上に向けて地面等に単に載置して使用することを想定したものである。しかしながら、このような捕獲器が予期せずに移動することを防止するために、単に載置するだけでなく、設置位置に固定できることが好ましい。
【０００５】
それ故に、本発明は、簡易な構造でありながら、土の上に簡単に固定することができ、使い勝手の良い昆虫誘引捕獲器を提供することを目的とする。
【課題を解決するための手段】
【０００６】
本発明は、所定の昆虫を誘引して捕獲するための昆虫誘引捕獲器であって、開口部を有するカップ状の容器本体と、容器本体に収容され、所定の昆虫に対する誘引成分及び殺虫成分を含有する薬剤と、容器本体に着脱自在に嵌め込まれる蓋材とを備える。蓋材は、容器本体への取り付け時に開口部を覆い、薬剤に含有される成分を拡散させる拡散部と、拡散部の外方に延び、土壌に差し込み可能な脚部と、容器本体の開口部の内面に密接するように容器本体に嵌め込まれる環状の枠体とを含む。
【発明の効果】
【０００７】
本発明によれば、脚部を土中に差し込むことによって簡単に設置位置に固定でき、使い勝手に優れた昆虫誘因捕獲器を実現できる。
【図面の簡単な説明】
【０００８】
【図１】本発明の実施形態に係る昆虫誘因捕獲器の斜視図
【図２】図１に示す昆虫誘因捕獲器の背面図
【図３】図２に示す昆虫誘因捕獲器のＡ−Ａ’ラインに沿った断面図
【図４】本発明の実施形態に係る容器本体の斜視図
【図５】本発明の実施形態に係る昆虫誘因捕獲器の使用状態を示す斜視図
【発明を実施するための形態】
【０００９】
図１は、本発明の実施形態に係る昆虫誘因捕獲器の斜視図である。また、図２は、図１に示す昆虫誘因捕獲器の背面図であり、図３は、図２に示す昆虫誘因捕獲器のＡ−Ａ’ラインに沿った断面図である。
【００１０】
昆虫誘因捕獲器１は、コバエ等の所定の昆虫を誘引して捕獲するための器具であり、内部に薬剤１１を収容する容器本体２と、容器本体３に着脱自在に嵌合する蓋材３とを備える。薬剤１１は、スポンジや不織布等の担体に、捕獲対象となる昆虫に対して誘因作用、殺虫作用、忌避作用を有する薬剤を含浸させたものである。
【００１１】
容器本体２は、カップ形状を有する容器であり、薬剤１１を収容する収容部９と、収容部９の開口部に接続されるフランジ部８とから構成される。図３に示されるように、容器本体２の開口部近傍は、容器本体２の外方側に向かって内周が狭まる逆テーパー形状に形成されている。容器本体２の材質や成型方法は限定されないが、例え、ポリプロピレン（ＰＰ）フィルムの真空成形により作製することができる。
【００１２】
一方、蓋材３は、容器本体２に取り付けられた状態で容器本体２の開口部を覆う拡散部４と、拡散部４の外方へと延びる棒状の脚部６と、容器本体２の開口部に密接状態で嵌め込まれる環状の枠体１３とを有する。
【００１３】
拡散部４には、薬剤１１の含有成分を拡散させるための複数の貫通孔５が形成されている。貫通孔５の寸法は、対象となる昆虫が通り抜け可能な大きさに設定することが好ましい。また、拡散部４のうち、脚部６に近い側の一部には、貫通孔５が形成されない領域が設けられている。
【００１４】
また、蓋材３の背面には、容器本体２のフランジ部１０の位置を規定するためのガイド７ａ〜７ｄと、薬剤１１が移動して貫通孔５を塞いでしまうことを防止するための突起１２とが設けられている。
【００１５】
尚、蓋材３は、例えばポリプロピレンの射出成形によって形成することができる。蓋材３は、捕獲対象となる昆虫に対する誘因作用を有する色に着色しても良く、例えば、コバエを捕獲対象とする場合には、緑色の樹脂で形成しても良い。また、射出成形により蓋材３を形成する場合、成形用金型のゲートに対応する位置に突起１２を形成することができる。
【００１６】
図４は、本発明の実施形態に係る容器本体の斜視図である。以下、図１〜４を併せて参照して、昆虫誘因捕獲器１の組み立てについて説明する。
【００１７】
薬剤１１は、図４に示されるように、容器本体２に予め収容された状態で提供される。具体的には、容器本体２の収容部９に薬剤１１を収容し、カバーフィルム１４をフランジ部８にシールすることによって密封されている。使用時には、カバーフィルム１４を剥離し、蓋材３の背面のガイド７ａ〜７ｄで規定される領域と容器本体２のフランジ部８とを対応させ、蓋材３の背面の枠体１３を容器本体２の開口部に嵌め込む。上述したように、容器本体２の開口部近傍は逆テーパー形状を有しているため、枠体１３と開口部との嵌め合いによって、蓋材３に対して容器本体２が固定される。また、容器本体２は、可撓性を有するシート材で形成されているため、嵌め込み後は、容器本体２の開口部の内周面が枠体１３の外面に密着する。これにより、例え薬剤１１の担体から薬液が漏れ出したとしても、容器本体２と蓋材３の隙間から流出してしまうことを防止できる。
【００１８】
図５は、本発明の実施形態に係る昆虫誘因捕獲器の使用状態を示す斜視図である。
【００１９】
組み立て後の昆虫誘因捕獲器１は、脚部６を土中に差し込んで使用される。本発明に係る昆虫誘因捕獲器１は、このような簡易な構造で昆虫誘因捕獲器１を設置位置に保持することができ、予期せぬ移動等を防止することができる。拡散部４からは、貫通孔５を通じて誘因成分が拡散され、これにより捕獲対象の昆虫が昆虫誘因捕獲器１へと導かれる。貫通孔５を捕獲対象の昆虫が通り抜け可能な大きさに形成した場合、捕獲対象の昆虫は容器本体２の内部に侵入し、薬剤１１に含まれる殺虫成分に接触することによって殺虫される。尚、薬剤１１に含まれる誘因成分のみならず、殺虫成分や忌避成分を貫通孔５から拡散させる構成としても良い。
【００２０】
上述したように、拡散部４のうち、脚部６に近い側の一部には、貫通孔５が形成されていない。これにより、仮に薬剤１１の担体から薬液が漏れだした場合でも、拡散部４を通じて外部に薬液が流出する虞がない。
【００２１】
以上説明したように、本実施形態に係る昆虫誘因捕獲器１では、棒状の脚部６が設けられているので、簡易な構造でありながら、土中に差し込むことにより容易に設置位置を固定することができる。また、容器本体２の開口部を逆テーパーとすることで、蓋材３に対して容器本体２を簡単にかつ密着状態に取り付けることが可能となる。このように、本発明によれば、組み立て及び設置のいずれも容易で使い勝手の良い昆虫誘因捕獲器１を実現できる。
【産業上の利用可能性】
【００２２】
本発明は、コバエ等の昆虫を誘引して捕獲するための園芸用の昆虫誘因捕獲器等にりようできる。
【符号の説明】
【００２３】
１  昆虫誘因捕獲器１
２  容器本体
３  蓋材
４  拡散部
５  貫通孔
６  脚部
１１  薬剤
１３  枠体
【図１】
2011142891.tif 000003
【図２】
2011142891.tif 000004
【図３】
2011142891.tif 000005
【図４】
2011142891.tif 000006
【図５】
2011142891.tif 000007